(57)【特許請求の範囲】
【請求項１】
流路の底部に起伏可能に配置され水中で浮力を生じる扉体と、係止手段を介して先端側が前記扉体に繋がれたワイヤと、前記ワイヤの基端側を巻き取る巻き上げ装置と、を備え、前記扉体の起伏範囲内において前記係止手段が前記ワイヤの長手方向に沿ってスライド可能であることを特徴とする逆流防止ゲート。
【請求項２】
前記係止手段として、前記ワイヤをスライド可能に把持する把持部材を設け、前記把持部材のスライドを阻止するためのストッパを前記ワイヤの先端側に設けたことを特徴とする請求項１記載の逆流防止ゲート。
【請求項３】
前記ストッパが、前記ワイヤに張力を付与するための重錘としての機能を有することを特徴とする請求項２記載の逆流防止ゲート。
【発明の詳細な説明】
【技術分野】
【０００１】
本発明は、河川側や海洋側と水路側との水位差に応じて起伏動作することにより河川や海洋側からの水の逆流を防止する機能を備えた浮力式の逆流防止ゲートに関する。
【背景技術】
【０００２】
従来、河川管理施設としての樋門や樋管には、集中豪雨などで河川が増水したときの逆流を防止するため浮力式の逆流防止ゲートが設置されている例がある。浮力式の逆流防止ゲートは、一定方向に水を流す流路の底面に水中で浮力を生ずる扉体を、水平軸を中心に起伏自在に軸支した構造である。また、浮力式の逆流防止ゲートは、満潮などによって潮位が上昇した場合に、海水が河川側へ逆流することを防止する管理設備として採用されることもある。
【０００３】
平常時は流路の上流側の水位が高いので、浮力式の逆流防止ゲートの扉体は下流側へほぼ水平に倒伏した状態にあり、水は扉体を乗り越えて流路の上流側から下流側に向かって一定方向に流れている。
【０００４】
一方、集中豪雨などで河川が増水し、流路の下流側の水位が上昇すると、扉体は水の浮力によって上流側に起立した状態となるため、流路内に、下流側から上流側に向かう逆流が発生するのを防止することができる。
【０００５】
また、浮力式の逆流防止ゲートにおいては、管理あるいは貯水を目的として扉体を起伏させるためのワイヤ式巻上機が設置される場合がある。ワイヤ式巻上機が設置された、浮力式の逆流防止ゲートにおいては、浮力による扉体の起伏動作により、ワイヤが緩んで、巻上機のドラムからワイヤが外れ、その後の巻き上げ動作が不能になる場合がある。
【０００６】
このような問題を解決するため、巻き上げ用のワイヤに張力を付与する重錘としてのアームの基端部を扉体に回転自在に軸着し、このアームの先端部に前記ワイヤを取り付けたものがある（例えば、特許文献１参照。）。
【０００７】
特許文献１記載の転倒ゲートにおいては、一旦転倒した扉体が水位の上昇に伴って起立した状態となったとき、重錘としてのアームによりワイヤに張力が付与されるので、ワイヤが弛んで巻上機から外れることがない。
【先行技術文献】
【特許文献】
【０００８】
【特許文献１】特許第２９６４０４６号公報
【発明の概要】
【発明が解決しようとする課題】
【０００９】
特許文献１記載の転倒ゲートの場合、ワイヤを巻き上げて扉体を起立させたときアーム部分は巻上機で巻き取ることができないので、アーム無しの場合に比べ、このアームの長さに相当する分だけ高い位置に巻上機を設置する必要がある。このため、巻上機の設置場所となる流路側壁が低いときは、巻上機設置用の基礎構造を高く形成しなければならないので、建設資材が増大しがちであり、施工性も良くない。
【００１０】
また、特許文献１記載の転倒ゲートの場合、扉体が起伏するときのアームの動作領域を確保するため、流路の上面が開放されていなければならないので、四方水密構造の流路への設置は極めて困難である。
【００１１】
本発明が解決しようとする課題は、施工が容易であり、ワイヤ弛緩に起因する巻上機ドラムからのワイヤ離脱が発生し難く、四方水密構造の流路にも設置可能な浮力式の逆流防止ゲートを提供することにある。
【課題を解決するための手段】
【００１２】
本発明の逆流防止ゲートは、流路の底部に起伏可能に配置され水中で浮力を生じる扉体と、係止手段を介して先端側が前記扉体に繋がれたワイヤと、前記ワイヤの基端側を巻き取る巻上機と、を備え、前記扉体の起伏範囲内において前記係止手段が前記ワイヤの長手方向に沿ってスライド可能であることを特徴とする。
【００１３】
このような構成とすれば、倒伏状態にある扉体が起立するとき係止手段がワイヤの長手方向に沿ってスライドするので、ワイヤの先端側が扉体とともに持ち上がってワイヤが弛緩することがなくなり、ワイヤ弛緩に起因する巻上機ドラムからのワイヤ離脱を防止することができる。また、扉体の起伏範囲内においてワイヤの長手方向に沿ってスライド可能な係止手段を介して当該ワイヤの先端側を扉体に繋いだ簡素な構造であるため、施工は容易である。さらに、ワイヤの先端側と扉体との間は係止手段で繋がれているが、巻上機でワイヤを巻き取って扉体を起立させたとき、扉体より高く突出する部材や巻上機と扉体との間に収まらない部材が存在しないので、四方水密構造の流路にも設置可能である。
【００１４】
ここで、前記係止手段として、前記ワイヤをスライド可能に把持する把持部材を設け、前記把持部材のスライドを阻止するためのストッパを前記ワイヤの先端側に設けることが望ましい。このような構成とすれば、簡素な構造でありながら、ワイヤ巻き上げによる扉体の起立動作に支障を与えることなく、ワイヤに対する確実なスライド機能を確保することができるので、優れた弛緩防止効果を得ることができる。
【００１５】
また、前記ストッパが、前記ワイヤに張力を付与するための重錘としての機能を有することが望ましい。このような構成とすれば、扉体がどの傾斜角度にあっても、ワイヤが常に引っ張られた状態に保たれるため、ワイヤの弛緩防止機能がさらに向上する。
【発明の効果】
【００１６】
本発明により、施工が容易であり、ワイヤ弛緩に起因する巻上機ドラムからのワイヤ離脱が発生し難く、四方水密構造の流路にも設置可能な浮力式の逆流防止ゲートを提供することができる。
【図面の簡単な説明】
【００１７】
【図１】本発明の実施形態である逆流防止ゲートを示す平面図である。
【図２】図１のＡ−Ａ線における断面図である。
【図３】図１の矢線Ｂで示す部分の一部省略拡大図である。
【図４】図２の矢線Ｃで示す部分の一部省略拡大図である。
【図５】図１に示す逆流防止ゲートを構成する係止手段の機能を示す図である。
【図６】図１に示す逆流防止ゲートの作動状態を示す図である。
【図７】図６中の矢線Ｘ状態における逆流防止ゲートの一部省略拡大図である。
【発明を実施するための形態】
【００１８】
図１〜図４に示すように、本発明の実施形態である浮力式の逆流防止ゲート１０は、流路１１の底部１１ｂに支承部１２を介して起伏可能に配置され水中で浮力を生じる扉体１３と、係止手段１４を介して先端側が扉体１３に繋がれたワイヤ１５と、ワイヤ１５の基端側を巻き取る巻上機１６と、を備え、扉体１３の起伏範囲１７内において係止手段１４がワイヤ１５の長手方向１５Ｌに沿ってスライド可能である。支承部１２は流路１１の水流方向Ｒと直交する方向の支軸１２ａを有し、この支軸１２ａを中心に扉体１３が回動して起伏することにより、流路１１の開閉が行われる。
【００１９】
係止手段１４は、ワイヤ１５をその長手方向１５Ｌに沿ってスライド可能に把持する把持部材１８を有し、この把持部材１８のスライドを所定位置（ワイヤ１５の先端部）で阻止するためのストッパ１９をワイヤ１５の先端側に設けている。このストッパ１９は、後述するように、ワイヤ１５に張力を付与するための重錘としての機能も有する。
【００２０】
把持部材１８は、扉体１３の前縁部１３ａの一方の側端を流路１１の側壁１１ａに向かって延設して形成された突状部１３ｂから突設された一対のブラケット２０ａ，２０ｂ間に回動自在に保持された軸体１８ａと、ブラケット２０ａ，２０ｂ間において軸体１８ａにより回動自在に軸支されたカラー１８ｂと、を備えている。軸体１８ａ及びカラー１８ｂの軸心１８ｃは支承部１２の支軸１２ａと平行をなす方向（流路１１の水流方向Ｒと直交する方向）に配置されている。突状部１３ｂは、扉体１３の本体部１３ｃの横幅１３ｗよりも広く突出している。
【００２１】
軸体１８ａ及びカラー１８ｂには、軸心１８ｃと直交する方向に沿って互いに同軸をなすワイヤ孔１８ａｈ，１８ｂｈがそれぞれ開設され、これらのワイヤ孔１８ａｈ，１８ｂｈを貫通した状態でワイヤ１５がスライド可能に挿通されている。図５に示すように、把持部材１８は、ワイヤ１５の長手方向１５Ｌに沿ってスライド可能であり、把持部材１８を貫通するワイヤ１５とともに軸心１８ｃを中心に回動可能である。
【００２２】
図１，図２に示すように、ワイヤ１５の基端部は巻上機１６のドラム２１に巻き付けられ、ドラム２１と係止手段１４との間のワイヤ１５及び係止手段１４の移動経路となる凹状部２２が流路１１の一方の側壁１１ａに形成されている。ワイヤ１５の先端部はストッパ１９によって係止手段１４に係止されているので、巻上機１６を作動させてワイヤ１５をドラム２１に巻き取っていくと、扉体１３はワイヤ１５で引っ張られて徐々に流路１１の上流側へ起立していき、図２に示すように、扉体１３の上縁部１３ａが上部戸当たり２３に当接した時点で流路１１が閉止される。逆に、巻上機１６のドラム２１からワイヤ１５を繰り出すと、扉体１３は徐々に流路１１の下流側へ倒伏していき、ほぼ水平に倒伏した状態となる。
【００２３】
ここで、図６，図７に基づいて逆流防止ゲート１０の機能について説明する。平常時は流路１１の上流側の水位が高いので、図６に示すように、逆流防止ゲート１０の扉体１３は下流側へほぼ水平に倒伏した状態にあり、水は扉体１３を乗り越えて流路１１の上流側から下流側に向かって一定方向に流れている。このとき、ワイヤ１５は、巻上機１６のドラム２１と、扉体１３の係止手段１４に係合したストッパ１９との間で直線状をなしている。
【００２４】
集中豪雨などで河川が増水し、流路１１の下流側の水位が上昇すると、扉体１３は水の浮力によって上流側に起立した状態（図６中の矢線Ｘで示す状態）となる。このとき、扉体１３とともに起立する係止手段１４の把持部材１８は、ワイヤ１５の長手方向１５Ｌに沿ってその上方へスライドするとともに、扉体１３の傾斜角度に応じて軸心１８ｃを中心に反時計方向に回転し、図７に示すような状態となる。即ち、巻上機１６のドラム２１と把持部材１８との間に位置するワイヤ１５は直線状態となり、把持部材１８とストッパ１９との間に位置するワイヤ１５は、重錘を兼ねるストッパ１９の重さにより、鉛直下方へ垂下した状態に保たれる。
【００２５】
流路１１の下流側の水位がさらに上昇して、図６に示すように、扉体１３の上縁部１３ａが上部戸当たり２３に当接した状態（図６中の矢線Ｙで示す状態）となると、図７で示した場合と同様に、巻上機１６のドラム２１と把持部材１８との間に位置するワイヤ１５は直線状態となり、把持部材１８とストッパ１９との間に位置するワイヤ１５は、重錘を兼ねるストッパ１９の重さにより、鉛直下方へ垂下した状態に保たれる。
【００２６】
図６に示すように、逆流防止ゲート１０においては、倒伏状態にある扉体１３が起立するとき係止手段１４がワイヤ１５の長手方向１５Ｌに沿ってスライドするので、ワイヤ１５の先端側が扉体１３とともに持ち上がってワイヤ１５が弛緩することがない。このため、ワイヤ１５の弛緩に起因する巻上機１６のドラム２１からのワイヤ１５の離脱を防止することができる。
【００２７】
また、扉体１３の起伏範囲１７内においてワイヤ１５の長手方向１５Ｌに沿ってスライド可能な係止手段１４を介して当該ワイヤ１５の先端側のストッパ１９を扉体１３に繋いだ簡素な構造であるため、施工は容易である。さらに、ワイヤ１３の先端側と扉体１３との間はスライド可能な係止手段１４で繋がれているが、巻上機１６でワイヤ１５を巻き取って扉体１３を起立させたとき、扉体１３より高く突出する部材や巻上機１６と扉体１３との間に収まらない部材などが存在しないので、天井部１１ｃを有する四方水密構造の流路１１にも設置可能である。
【００２８】
逆流防止ゲート１０においては、係止手段１４として、ワイヤ１５をスライド可能に把持する把持部材１８を設け、把持部材１８のスライドを阻止するためのストッパ１９をワイヤ１５の先端側に設けている。このため、簡素な構造でありながら、ワイヤ１５の巻き上げによる扉体１３の起伏動作に支障を与えることなく、ワイヤ１５に対する確実なスライド機能を確保することができるので、優れた弛緩防止効果を得ることができる。
【００２９】
また、ワイヤ１５に張力を付与するための重錘としての機能をストッパ１４に持たせたことにより、扉体１３が起伏範囲１７内のいずれの状態にあってもワイヤ１５が常に引っ張られた状態に保たれるため、安定したワイヤ１５の弛緩防止機能を発揮する。
【産業上の利用可能性】
【００３０】
本発明の逆流防止ゲートは、河川の管理施設あるいは沿岸地域の防潮施設などとして広く利用することができる。
【符号の説明】
【００３１】
１０  逆流防止ゲート
１１  流路
１１ａ  側壁
１１ｂ  底部
１１ｃ  天井部
１２  支承部
１２ａ  支軸
１３  扉体
１３ａ  前縁部
１３ｂ  突状部
１３ｃ  本体部
１３ｗ  横幅
１４  係止手段
１５  ワイヤ
１５Ｌ  長手方向
１６  巻上機
１７  起伏範囲
１８  把持部材
１８ａ  軸体
１８ｂ  カラー
１８ｃ  軸心
１９  ストッパ（重錘）
２０ａ，２０ｂ  ブラケット
２１  ドラム
２２  凹状部
【図１】
0005393403.tif 000002
【図２】
0005393403.tif 000003
【図３】
0005393403.tif 000004
【図４】
0005393403.tif 000005
【図５】
0005393403.tif 000006
【図６】
0005393403.tif 000007
【図７】
0005393403.tif 000008